(57)【要約】【課題】デリバリーファンから放出される折帳が、幅方向に波打ち変形したり、耳折れが生じることなく、整然と機外へ排出できるようにする。【解決手段】輪転機の折機の折り機構によって折り畳まれた折帳９を、デリバリーファン３の折帳受取部３５で受け取り、デリバリーファンの回転によってコンベヤー８上に搬送する際に、デリバリーファンに入りきらない折帳の端部９１を案内する折機の折帳ガイド装置において、少なくとも折帳９の幅と同じ幅を有し、幅方向と略平行な２側の一側を折り機構の近傍下方に位置させ、他側をコンベヤー搬送面近傍上方に位置させ、前記一側から他側に至る部分を折帳案内面４１としてデリバリーファン３の回転領域近傍に円弧状に沿わせて対向させたガイド部材４を設け、デリバリーファンの回転によって搬送される折帳の端部を、折帳の全幅にわたって案内するようになっている。【選択図】        図１
2004352479.tif 000002
【特許請求の範囲】
【請求項１】
輪転機の折機の折り機構によって折り畳まれた折帳を、デリバリーファンの折帳受取部で受け取り、デリバリーファンの回転によってコンベヤー上に搬送する際に、デリバリーファンに入りきらない折帳の端部を案内する折機の折帳ガイド装置において、
少なくとも折帳の幅と同じ幅を有し、幅方向と略平行な２側の一側を折り機構の近傍下方に位置させ、他側をコンベヤー搬送面近傍上方に位置させ、前記一側から他側に至る部分を折帳案内面としてデリバリーファンの回転領域近傍に円弧状に沿わせて対向させたガイド部材を設け、
デリバリーファンの回転によって搬送される折帳の端部を、折帳の全幅にわたって案内する、
ことを特徴とする折機の折帳ガイド装置。
【請求項２】
ガイド部材が、移動手段に支持され、移動手段を介してデリバリーファンの回転領域に対して折帳案内面を接近又は隔離可能に設けられた、請求項１記載の折機の折帳ガイド装置。
【請求項３】
ガイド部材が、折帳案内面の全面にわたって通気孔を有する、請求項１又は請求項２に記載の折機の折帳ガイド装置。
【請求項４】
ガイド部材が、円弧状をなす折帳案内面の途中で分割可能な少なくとも２つのガイド部材によって構成されるとともに、前記少なくとも２つのガイド部材の少なくとも１つが着脱可能に設けられた、請求項１乃至請求項３のいずれかに記載の折機の折帳ガイド装置。
【発明の詳細な説明】
【０００１】
【発明の属する技術分野】
この発明は、輪転機の折機の折帳排出装置に備えられる折帳ガイド装置に関し、デリバリーファンの回転領域の外周近くに設けられ、回転するデリバリーファンの折帳受取部に受け取られて回転によって搬送される折帳の端部をコンベヤーまで案内する折帳ガイド装置に関する。
【０００２】
【従来の技術】
従来、輪転機の折機の折帳排出装置は、折機の折り機構で折り畳まれた折帳を、例えば、軸方向に間隔を設けて４列に並べられた羽根車を有するデリバリーファンで受け取り、これをコンベヤーに渡して機外に排出するようになっている。
【０００３】
すなわち、折帳排出装置は、図６に概略的に示すように折帳９０１を、回転するデリバリーファン３０１の折帳受取部で受け取り、デリバリーファン３０１の回転によって移動（以下、回転移動という）するこれの折帳受取部で搬送し、コンベヤー上に等ピッチでうろこ状にずれ重なるように渡し、折帳列として機外へ排出する。
【０００４】
この一連の流れの中において、前記折帳受取部で受け取られデリバリーファンの回転によって搬送（以下、回転搬送という）される折帳９０１は、例えば、デリバリーファン３０１の羽根部材によって折帳の先行端から略半分だけ支えられ、そのままでは折帳受取部に入りきらない折帳の端部（以下、折帳の後端部という）が、羽根部材の先端から垂れ下がろうとする。
【０００５】
そこで、折帳の後端部が垂れ下がらないように案内するために、デリバリーファン３０１の回転領域の外周に対向させて、折帳の幅方向に、広い間隔をもって隣り合うように設けられた３本のガイド部材（以下、折帳後部ガイドという）４０１を有する折帳ガイド装置が設けられている。そして、図６に示したように、最も外側に設けられた折帳後部ガイド４０１の側端から折帳９０１の幅方向の側端がはみ出すようになっている。
【０００６】
上記のような折帳ガイド装置の従来の技術としては、例えば、特許文献１、特許文献２、特許文献３に開示されているものがある。
【０００７】
特許文献１に開示されている技術では、折機の折り機構のフォルディングローラーによって折り畳まれた折帳を、回転するデリバリーファンを用いて順次回転搬送させてこれの下方のコンベヤー上へ渡すべく、デリバリーファンの折帳受取部に入りきらない折帳の後端部を案内する折帳ガイド装置が示されている。そしてこれの折帳後部ガイドは、折帳の幅方向に分割して複数、例えば３つ設けられ、それぞれが間隔をもって配置されてフォルディングローラーの下側からコンベヤーの上面近くまで折帳案内面を有するように形成されており、デリバリーファンに対向する折帳案内面を有する折帳後部ガイドの一部を、デリバリーファンの回転領域に対して離隔方向に移動可能なようになっている。
【０００８】
特許文献２に開示されている技術では、折り機構のフォルディングローラーで折り畳まれた折帳を、回転するデリバリーファンの折帳受取部で受け取って回転搬送するときに、回転搬送される折帳の後端部を案内する、折帳ガイド装置が示されている。そして、折帳は、折帳受取部での回転搬送中に、折帳の先端が掴み機構で掴まれ搬送され、その後、コンベヤー上に等ピッチでずれ重なるように放され、機外へ排出されるようになっている。折り機構によって折り畳まれた前記折帳は、その先行端が掴み機構によって掴まれる位置にくるまで、折帳の後端部が、デリバリーファンの回転領域の外側に設けられた円弧面を折帳案内面とした折帳後部ガイドによって、案内されるようになっている。
【０００９】
特許文献３に開示されている技術では、デリバリーファンの回転領域の外周近傍にあって、その外周に略沿った形状で折帳案内面が設けられ、デリバリーファンの折帳受取部に受け取られ、かつ折帳受取部に入りきらないで飛び出している折帳の後端部を、垂れ下がらないように支え、そのままコンベヤー上面の近くまで案内する折帳案内面を形成した折帳ガイド装置が示されている。折帳ガイド装置は、デリバリーファンの軸方向に複数の、例えば４つの折帳後部ガイドが設けられ、それぞれが間隔をもって配置されており、前記回転領域の外周に略沿った円弧状の折帳案内面を有している。
【００１０】
【特許文献１】
特開平１１−１０６１１１号公報
【特許文献２】
特許第２９３５２１８号公報
【特許文献３】
特許第２９９２００３号公報
【００１１】
【発明が解決しようとする課題】
近年、輪転機の高速化はめざましく、例えば、わが国における新聞輪転機においては、従来、毎時１４万部前後の印刷速度であったものが、最近では、毎時大略１８万部の印刷速度で印刷されるようになってきた。それに伴い、デリバリーファンには、折機の折り機構から放出される折帳が、従来に比べて略３０パーセント増の速い印刷速度で次々に放出されてくるので、デリバリーファンは、この次々に放出される折帳を受け取るべく同期して回転し、折帳受取部で受け取った折帳を順次高速で回転搬送させなくてはならない。
【００１２】
輪転機の高速化に伴って、回転するデリバリーファンの周囲には、デリバリーファンの回転によって、デリバリーファンの回転方向に渦巻き状に外側へ向かう速い空気の流れが生じるので、折帳受取部に入りきらない折帳の後端部は、前記した速い空気の流れによって急速にあおられ、デリバリーファンの外側へはみ出すように急速になびくようになる。
【００１３】
このように、高速印刷が行われる輪転機の折機において、前記特許文献１乃至特許文献３にそれぞれ記載された折帳ガイド装置には、解決すべき共通の課題があった。
【００１４】
つまり、図６に示すように、回転しているデリバリーファンが、フォルディングローラーから放出された第１の折帳９０１ａを、第１の折帳受取部で受け取りながら回転移動し、第１の折帳受取部に続く第２の折帳受取部が、次に放出されてきた第２の折帳９０１ｂを受け取る。
【００１５】
当該折帳の受け取りと回転移動において、第１の折帳９０１ａの後端部は、輪転機と同期して高速で回転しているデリバリーファンの周囲に生じている前記速い空気の流れによって急速にあおられ、デリバリーファンの外側にはみ出し、折帳後部ガイドの折帳案内面に急速になびくように押し付けられる。そして折帳の後端部は、所謂折り機構によって切断されたぺら側で腰がなく、間隔をもって複数設けられている折帳後部ガイド４０１相互の間隔の部分にめり込んで波打ってシワになったりしてしまう。
【００１６】
前記間隔部分にめり込むように波打っている折帳の後端部は、折帳後部ガイドに対し摩擦抵抗を増して滑りにくくなり、回転搬送中の折帳が、ブレーキを掛けられたような状態となって折帳受取部の底部から抜けるようにずり上がるので、回転搬送される折帳の左右のバランスを崩したり、折帳の回転搬送を遅らせたりする。
【００１７】
例えば、新聞印刷においては、ブロード紙における４ページ乃至８ページの所謂薄ページの折帳や、特にタブロイド紙の８ページ乃至１６ページ（ブロード紙換算で４ページ乃至８ページ）の折帳の場合には、剛性があって重みのある厚ページの折帳に比べ、折帳そのものが軽量で然も腰がない。いわんや、ぺら側でもある折帳の後端部は、極めて剛性に乏しく、くたくたしているので、前記間隔の部分に折帳受取部の羽根部材の先端から飛び出している折帳の後端部は、図６に示すように、前記折帳後部ガイド相互の間隔の部分にめり込んで変形しやすく、波打ち形状となってシワになりやすい。また、折帳の幅方向の両側の部分は、折帳後部ガイドから外れてはみ出しているので、折帳の後端部付近の側縁が外側へ湾曲するように変形して折れ曲がり所謂耳折れしやすい。
【００１８】
従って、上記のように、折帳受取部に受け取られた折帳は、回転搬送中に折帳受取部の底面からずり上がって左右のバランスを崩したり遅れたりするので、折帳の姿勢が乱れたり、前記遅れた折帳の後端部に次の折帳の先端部が干渉したりして、回転搬送中の折帳がデリバリーファンと折帳案内面との間で紙詰まりを起こしやすい。また、姿勢を乱した折帳がコンベヤー上に渡されたときに、折帳のぺら部分が折れ込むという耳折れ現象が生じたり、図６に示すように、斜めに並び、折帳が等ピッチで並ばなくなるという課題があった。このことは、折帳の品質を損ない輪転機の高速化を阻み、生産性を向上できないというものであった。
【００１９】
この発明は前記した従来の技術が抱えていた課題を一挙に解決でき、輪転機が運転され、高速印刷に至っても、折帳は、幅方向に波打ち状に変形したり、耳折れが生じることがなく、更に、左右のバランスを崩したり遅れたりすることがなく整然とした折帳列で機外へ排出できるようにした折機の折帳ガイド装置を提供することを目的とするものである。
【００２０】
【課題を解決するための手段】
前記目的を達成するために、この発明に係る折帳ガイド装置は、輪転機の折機の折り機構によって折り畳まれた折帳を、デリバリーファンの折帳受取部で受け取り、デリバリーファンの回転によってコンベヤー上に搬送する際に、デリバリーファンに入りきらない折帳の端部を案内する折機の折帳ガイド装置において、少なくとも折帳の幅と同じ幅を有し、幅方向と略平行な２側の一側を折り機構の近傍下方に位置させ、他側をコンベヤー搬送面近傍上方に位置させ、前記一側から他側に至る部分を折帳案内面としてデリバリーファンの回転領域近傍に円弧状に沿わせて対向させたガイド部材を設け、デリバリーファンの回転によって搬送される折帳の端部を、折帳の全幅にわたって案内する構成になっている。
【００２１】
そして、前記構成の折帳ガイド装置において、ガイド部材が、移動手段に支持され、移動手段を介してデリバリーファンの回転領域に対して折帳案内面を接近又は隔離可能に設けられ、また、ガイド部材が、折帳案内面の全面にわたって通気孔を有し、さらに、ガイド部材が、円弧状をなす折帳案内面の途中で分割可能な少なくとも２つのガイド部材によって構成されるとともに、前記少なくとも２つのガイド部材の少なくとも１つが着脱可能に設けられている。
【００２２】
【作  用】
輪転機の折機の折り機構にて折り畳まれた折帳は、回転しているデリバリーファンの折帳受取部で受け取られ、順次デリバリーファンの下側に位置するコンベヤー上へ回転搬送される。このときに、デリバリーファンに入りきらない折帳の端部はこれの全幅にわたって折帳ガイド装置のガイド部材の折帳案内面にて案内される。
【００２３】
そして、前記ガイド部材の折帳案内面は、ガイド部材を支持している移動手段の作動により、デリバリーファンの回転領域に対して接近または離隔される。また、回転しているデリバリーファンの周囲には、回転方向に渦巻き状に外側に向かう速い空気の流れが生じるが、このデリバリーファンの回転によって生じる空気の流れと、この空気によってあおられる折帳の端部と折帳案内面との間の空気は、折帳案内面の全面にわたって設けられた通気孔から速やかに外側へ抜け出され、折帳の端部の側縁が折帳案内面に素早く到達し、端部の自由動が逸速く抑えられる。更に、ガイド部材を構成している少なくとも２つのガイド部材の１つが着脱でき、このガイド部材を離脱することにより、デリバリーファン等のメンテナンスがやりやすくなる。
【００２４】
【発明の実施の形態】
この発明の１つの実施の形態について、図１乃至図５を参照して説明する。図１は、この発明に係る折機の折帳ガイド装置の１つの実施の形態を示す部分断面正面図、図２は、図１のＡ−Ａ矢視における部分断面平面図、図３は、図１のＢ−Ｂ矢視における折帳ガイド装置の正面図、図４の（ａ）乃至（ｆ）は、折帳に対する折帳ガイド装置の作用説明図、図５は、折帳を案内する折帳ガイド装置の斜視図である。なお図７は、この発明に係る折機の折帳ガイド装置に設けられた通気孔の他の実施の形態を示す折帳案内面の正面図であり、図６は折帳を案内する従来技術の折帳ガイド装置の斜視図である。
【００２５】
図１乃至図３に示すように、フレームＦ、Ｆに支持されている折り機構１は、輪転機の折機において鋸胴６に僅かな間隔をもって対向する折胴７に備えられたブレード１１と、折胴７の下方近傍に回転可能に設けられた一対のフォルディングローラー１２、１２を備えている。そして前記ブレード１１は、折胴７側に設けられて前記フォルディングローラー１２の軸線方向に伸び、かつ鋸胴６の鋸刃６１により一定の長さに切断された印刷紙Ｃの折り畳む部分を、前記フォルディングローラー１２、１２の対向する外周面相互の間に設けられた間隙に差し込むべく、折胴７の回転位相に同期して進入するようになっている。折り機構１の下方には、フォルディングローラー１２、１２によって折り畳まれ放出される折帳９を１部１部受け取るデリバリーファン３が設けられている。
【００２６】
デリバリーファン３は、両端を回転可能に支持され、図示しない駆動装置によって駆動されるファン軸３１と、ファン軸３１に適宜な数、例えば軸方向に適宜な間隔で取り付けられた４つの羽根車３２、３２、３２、３２で構成されている。それぞれの羽根車３２は、略正多角形の、例えば１２角形のディスク部材３３と、それぞれのディスク部材３３の外周に基部が取り付けられた適宜な幅を有する適宜な数の、例えば６つの湾曲した板材の羽根部材３４、３４、３４、３４、３４、３４からなる。そして、ディスク部材３３の外周に取り付けられたそれぞれの羽根部材３４の端部は、回転する方向の上流側に渦巻き状に配され、各羽根部材３４の内側部分と、この内側部分と対向する羽根部材３４が取り付けられていないディスク部材３３の直近の外周面とによって、折帳９を受け取る折帳受取部３５が形成され、各羽根車３２は、それぞれの折帳受取部３５がファン軸３１上において回転方向に同一位相となって並べられている。
【００２７】
デリバリーファン３は、折胴７の回転位相に同期し、図１において反時計方向に回転駆動されるようになっており、回転移動している折帳受取部３５の受取口３６がフォルディングローラー１２、１２の折帳放出部２の下方に位置する回転位相のときに、フォルディングローラー１２、１２から放出される折帳９を受け取るタイミングとなるように設けられている。デリバリーファン３の下方には、折帳９を機外へ排出するコンベヤー８が設けられている。コンベヤー８は、図示しない駆動手段によって駆動され、デリバリーファン３の回転によってこれの各羽根車３２の先端が描く回転領域の外周から適宜な距離を隔てて一端側が設けられ、他端側が機外へ伸びて折帳９を機外へ排出するようになっている。
【００２８】
また、折り機構１のフォルディングローラー１２、１２の下方には、フォルディングローラー１２、１２から放出される折帳９をデリバリーファン３の方へ誘導する第１誘導ガイド２１及び第２誘導ガイド２２が、デリバリーファン３の回転接線方向に向けて設けられている。この第１誘導ガイド２１と第２の誘導ガイド２２は、フォルディングローラー１２、１２から放出される折帳９を両側から緩やかに規制して通過させ得るように間隔をあけて、かつデリバリーファン３の各羽根車３４の軸方向の間に位置され、それぞれフォルディングローラー１２、１２の軸線方向に幾つか並べられている。
【００２９】
そして、デリバリーファン３の外周に対して離れている方に位置する第２誘導ガイド２２の下方端から適宜に離れた位置に折帳後部ガイド４が設けられている。この折帳後部ガイド４は、前記第２誘導ガイド２２の下方端側に一端側が位置され、また前記コンベヤー８の上面から適宜に離れた位置に他端側が位置され、一端側から他端側に至る部分がデリバリーファン３の回転領域の外周から適宜に離され、この外周に対して円弧状に沿うように形成された折帳案内面４１を有している。そしてこの折帳案内面４１は、デリバリーファン３の軸方向に少なくとも折帳９の幅と同じ幅（図示の実施の形態では折帳９の幅を超える幅になっている）を有するとともに、全面にわたって多数の通気孔４２が設けられており、この通気孔４２により、デリバリーファン３の回転によって生じる回転方向に渦巻き状に外側へ向かう速い流れの空気と、その流れによって急速にあおられる折帳９の後端部９１の案内面側の空気とが外側へ速やかに排除されるようになっている。
【００３０】
なお、通気孔４２は複数である必要はなく、図７に示す他の実施の形態のように、単一のガイド部材４ａで折帳案内面４１が形成される構成のものでは、連続する長孔状にして配された通気孔４２ａであってもよい。
【００３１】
前記の折帳後部ガイド４は、後述する移動手段５にてこれの折帳案内面４１をデリバリーファン３の外周に対して遠近する方向に移動可能に支持されている。
【００３２】
折帳後部ガイド４は、これの折帳案内面４１が円弧状をなす途中で略上下２つに分割されていて、上側に位置する第１案内面４３を有する第１ガイド部材４５と下側に位置する第２案内面４４を有する第２ガイド部材４６とによって構成されている。第１ガイド部材４５は前記移動手段５に支持されており、第２ガイド部材４６は移動手段５にねじ部を有する着脱部材４９、４９にて着脱可能に結合されており、第１ガイド部材４５から分離可能になっている。
【００３３】
折帳後部ガイド４の第１案内面４３と第２案内面４４の分割において、第１ガイド部材４５の第１案内面４３は円弧状をなす途中から下方に向け、その幅方向の両側を残して中央部分が欠落した門形の形状となっており、これの両側の案内部分によって折帳９の後端部９１の両端縁を連続的に案内するようになっている。そして、第１案内面４３の欠落部には、第２ガイド部材４６の第２案内面４４が位置され、全体として折帳案内面４１を構成するようになっている。
【００３４】
前記した折帳後部ガイド４をデリバリーファン３に対して遠近移動するための移動手段５は、両側のフレームＦ、Ｆによって支持された基軸５１に、左右のアーム５２、５２のそれぞれの一端が回転可能に支持され、両アーム５２、５２の他端には、それらを一体に連結する連結軸５３が固定されている。連結軸５３の一端側には空気圧シリンダー５４のシリンダーロッドの先端側が接続され、空気圧シリンダー５４の他端側は基軸５１と平行な支持軸を介して一方のフレームＦ側に支持されている。そしてアーム５２、５２の長さ方向の中間部には、前記連結軸５３と同様に支持軸５５が渡され固定され、この支持軸５５の中間部に折帳後部ガイド４を支持する一対の支持部材５６、５６が軸方向に離隔して設けてある。
【００３５】
支持部材５６、５６には取付面５７、５７が支軸軸５５と平行に設けてあり、この取付面５７、５７に第１ガイド部材４５の裏側に設けた第１取付部材４７、４７がそれぞれ固定されている。そしてこの各取付面５７、５７と直角に設けた支持部材５６、５６の端面５８、５８に、第２ガイド部材４６の裏側に設けた第２取付部材４８、４８が、着脱部材４９、４９によって着脱可能に取り付けられている。
【００３６】
このようにしてデリバリーファン３に対向して形成された折帳案内面４１は、前記移動手段５の空気圧シリンダー５４のシリンダーロッドが伸長している状態で、デリバリーファン３の回転領域の外周に接近して案内可能な位置となり、逆に、空気圧シリンダー５４のシリンダーロッドが縮退している状態では、前記回転領域の外周から離れてメンテナンスのしやすい位置となる。
【００３７】
このとき、第１ガイド部材４５から第２ガイド部材４６を取り外すことにより、デリバリーファン３の周辺のメンテナンスが極めて容易になる。なお、第１案内面４３と第２案内面４４の分割を、デリバリーファン３の軸線と平行な一線によって行ってもよい。また、折帳後部ガイド４は第１、第２の案内面４３、４４の２分割以外に３つ以上に分割してもよく、このうちの１つ以上の案内面を他の案内面から取り外し可能にする。
【００３８】
次に、この発明に係る折帳ガイド装置の前記した実施の形態における作用について、図１、図２及び図４を参照して説明する。
【００３９】
移動手段５に支持された折帳後部ガイド４の折帳案内面４１は、空気圧シリンダー５４のシリンダーロッドの伸長によってデリバリーファン３の回転領域の外周から適宜離れた位置に接近するように設定される（図１参照）。そして、輪転機が運転され、高速印刷に至る。
【００４０】
折胴７により運ばれ、切断された印刷紙Ｃは、折り機構１により折り畳まれる。すなわち、印刷紙Ｃは、折胴７の回転位相に同期して一対のフォルディングローラー１２、１２の間隙に進入するブレード１１によってこれの折り畳まれる部分がフォールディングローラー１２、１２の間に差し込まれる（図４ａ参照）。
【００４１】
一対のフォルディングローラー１２、１２によって２つに折られた印刷紙Ｃは、第１の折帳９ａとして下方へ高速で放出される。この第１の折帳９ａは、第１誘導ガイド２１と第２誘導ガイド２２によりデリバリーファン３の外周部に向けて案内される。折胴７の回転位相に同期して回転するデリバリーファン３は、第１誘導ガイド２１と第２誘導ガイド２２によって案内されてきた前記第１の折帳９ａを、第１の折帳受取部３５ａの底部で受け止める。このときの第１の折帳９ａは、その先端部が第１の折帳受取部３５ａの底部に届いており、この状態で第１の折帳９ａの背面の半分くらいまでが、羽根車３２の第１の羽根部材３４ａで支えられ、残りの部分は、第１の羽根部材３４ａの先端から外れた状態となって高速で回転搬送される（図４ｂ、図４ｃ参照）。
【００４２】
この回転搬送に際し、第１の折帳９ａの後端部９１ａは、回転しているデリバリーファン３の周囲に生じている回転方向に渦巻き状に外側に向かう速い空気の流れによって急速にあおられ、全幅にわたり一斉かつ速やかに、折帳９の幅より幅広に設けられた折帳案内面４１によって、この面に沿うように確実に受け止められる（図４ｄ参照）。その結果、折帳９は、幅方向に波打ち状に変形してシワになったり、各側縁が外側へ湾曲するように変形し折れ曲がって耳折れてしまうようなことがない。
【００４３】
更に、第１の折帳９ａは、第１の折帳受取部３５ａで回転搬送されているときに、前記したように、折帳９の後端部９１ａがシワになったり外側へ湾曲することなく折帳案内面４１に案内されて移動することにより、この折帳９ａの後端部９１ａは折帳案内面４１に対してブレーキ作用を受けることなく移動されて、この折帳９ａが折帳受取部３５ａの底部から抜けるようにずり上がって、回転搬送される折帳の左右のバランスを崩したり回転搬送が遅れたりせず、折帳９ａの後端部９１ａは折帳案内面４１に確実に案内され、デリバリーファン３の回転とともに回転搬送される（図４ｅ参照）。
【００４４】
図３及び図５に示すように、多数の通気孔４２が設けられた折帳案内面４１では、前記空気の流れによって急速にあおられた折帳９の後端部９１と折帳案内面４１との間の空気と、後端部９１の周囲に向かい渦巻き状に外側へ向かって流れる空気とが、多数の通気孔４２から速やかに外側へ抜ける。従って、後端部９１の側縁が折帳案内面４１に素早く到達して後端部の自由動が逸速く抑えられ、折帳案内面４１による案内作用がより確実に、かつ有効に得られる。
【００４５】
第２の折帳受取部３５ｂで受け取られた第２の折帳９ｂや、その後に折り機構１から次々と放出される折帳９も、第１の折帳９ａと同様に、折帳９の後端部９１は、これの全幅にわたって折帳案内面４１に沿うように受け止められ、デリバリーファン３の回転とともに次々に回転搬送されていく（図４ｆ参照）。
【００４６】
デリバリーファン３の回転によってコンベヤー８の上方に接近するように運ばれた折帳９は、走行しているコンベヤー８の上に折帳受取部３５から渡され、乱れることなく等ピッチでうろこ状にずれ重なって機外へ排出される。
【００４７】
【発明の効果】
以上記載のとおり、この発明の実施により次のような効果を得ることができる。
【００４８】
すなわち、輪転機が運転され、高速印刷に至っても、折帳は、これの後端部が全幅にわたり一斉かつ速やかに、折帳の幅より幅広にして設けられた折帳案内面によって、この面に沿うように確実に受け止められるので、デリバリーファンにて回転搬送される折帳は、幅方向に波打ち状に変形してシワになったり、後端部の各側縁が外側へ湾曲するように変形し折れ曲がって耳折れしてしまうようなことがない。
【００４９】
更に、折帳は、回転搬送中に折帳受取部の底面からずり上がって左右のバランスを崩したり遅れたりすることがなく、従って、フォルディングローラーから放出されて折帳受取部に受け取られた折帳を、折帳案内面に沿って確実に回転搬送して、コンベヤー上に等ピッチにずれ重なるように渡すことが可能となり、整然とした折帳列を機外へ排出することができる。
【００５０】
そして、請求項２に係る発明によれば、ガイド部材が移動手段に支持されデリバリーファンの回転領域に対してこれの折帳案内面を接近または離隔可能に設けられているので、折帳が万一デリバリーファンと折帳案内面との間で紙詰まりを起こした場合でも、直ちに折帳後部ガイドをデリバリーファンの外周から遠ざかるように離隔させ、紙詰まりを除去できるとともに、折帳排出装置を損傷させることがなく、更に、簡単に復旧させることができる。
【００５１】
また、請求項３に係る発明によれば、通気孔が設けられた折帳案内面では、回転しているデリバリーファンの周囲に生じている回転方向に渦巻き状に外側へ向かう速い空気の流れと、この空気の流れによって急速にあおられた後端部と折帳案内面との間の空気とが、折帳案内面に設けられた通気孔から速やかに外部へ抜けるので、折帳の後端部の側縁が折帳案内面に素早く到達してこの後端部の自由動が逸速く抑えられ、折帳案内面による案内作用をより確実に、かつ有効に得ることができる。
【００５２】
さらに、請求項４に係る発明によれば、折帳後部ガイドが、円弧をなす折帳案内面の途中で分割可能な少なくとも２つのガイド部材によって構成され、その少なくとも１つが着脱可能に設けられているので、これを外すことによってデリバリーファンの周辺のメンテナンスが極めて容易になってデリバリーファンやその周辺の整備を行き届かせることができ、常に安定した折帳の排出を長期にわたって維持することができるようになった。
【００５３】
これらのことから、従来輪転機の高速化を阻む一因でもあった、折帳の後端部の波打ちや、ぺら部分の耳折れが解消され、折帳の乱れや紙詰まりがなくなり、等ピッチにずれ重なる折帳列を、コンベヤー上に形成させて機外へ排出できるようになった。その結果、折帳の品質を損なうことなく輪転機の高速化が可能となり、かつ生産性の向上を図ることが可能となった。
【図面の簡単な説明】
【図１】この発明に係る折機の折帳ガイド装置の１つの実施の形態を示す部分断面正面図である。
【図２】図１のＡ−Ａ矢視における部分断面平面図である。
【図３】図１のＢ−Ｂ矢視における折帳ガイド装置の正面図である。
【図４】（ａ）、（ｂ）、（ｃ）、（ｄ）、（ｅ）、（ｆ）は折帳に対する折帳ガイド装置の作用説明図である。
【図５】折帳を案内する折帳ガイド装置の斜視図である。
【図６】折帳を案内する従来技術における折帳ガイド装置の斜視図である。
【図７】この発明に係る折機の折帳ガイド装置に設けられた通気孔の他の実施の形態を示す折帳案内面の正面図である。
【符号の説明】
１…折り機構
１１…ブレード                        １２…フォルディングローラー
２…折帳放出部
２１…第１誘導ガイド                  ２２…第２誘導ガイド
３…デリバリーファン
３１…ファン軸                        ３２…羽根車
３３…ディスク部材                    ３４、３４ａ、３４ｂ…羽根部材
３５、３５ａ、３５ｂ…折帳受取部      ３６…受取口
４…折帳後部ガイド（ガイド部材）
４ａ…単一ガイド部材
４１…折帳案内面                      ４２、４２ａ…通気孔
４３…第１案内面                      ４４…第２案内面
４５…第１ガイド部材                  ４６…第２ガイド部材
４７…第１取付部材                    ４８…第２取付部材
４９…着脱部材
５…移動手段
５１…基軸                            ５２…アーム
５３…連結軸                          ５４…空気圧シリンダー
５５…支持軸                          ５６…支持部材
５７…取付面                          ５８…端面
６…鋸胴
６１…鋸刃
７…折胴
８…コンベヤー
９、９ａ、９ｂ…折帳
９１、９１ａ、９１ｂ…後端部
Ｃ…印刷紙
Ｆ…フレーム
【図１】
2004352479.tif 000003
【図２】
2004352479.tif 000004
【図３】
2004352479.tif 000005
【図４】
2004352479.tif 000006
【図５】
2004352479.tif 000007
【図６】
2004352479.tif 000008
【図７】
2004352479.tif 000009